【手続補正書】
【提出日】令和2年5月21日(2020.5.21)
【手続補正１】
【補正対象書類名】明細書
【補正対象項目名】００８６
【補正方法】変更
【補正の内容】
【００８６】
本出願が、本発明の好ましい実施形態を記載する一方で、本発明はこれらの実施形態に限定されず、以下の特許請求の範囲内で異なる設計を有してもよいことは、指摘されるべきである。
本開示は以下の態様も包含する。
［１］
ガス用のバリア材料（１）としてのポリマー層の使用であって、
前記ポリマー層の層の厚さが、０．０３〜０．５ｍｍの範囲であり、
前記ポリマー層のポリマーが、エチレンおよびビニルアルコールのコポリマー、またはエチレンおよび一酸化炭素のコポリマー、またはエチレンおよび一酸化炭素およびプロピレンのコポリマーを含み、
前記ガスが、式（Ｉ）の化合物を含み、０℃超の沸点を有するハイドロフルオロオレフィンの群から選択されることを特徴とし、
【化１】
2019524477.tif 000001
式中、Ｒ５およびＲ６は、互いに独立して、Ｈ、Ｆ、Ｃｌ、ＣＦ３を表す、使用。
［２］
前記ポリマーが、５０〜１００重量％の式（ＩＩ）または（ＩＩＩ）または（ＩＶ）の構造単位を含有することを特徴とし、
【化２】
2019524477.tif 000002
式中、
ｍは、１〜１０を表し、
ｎは、２〜２０を表し（ｍ／ｎは、３０／１００〜５０／１００である）、
ｏは、１または２を表し、
ｐは、１または２を表し、
ｑは、１〜２０を表し、
ｒは、１〜２０を表す、上記態様１に記載の使用。
［３］
前記ポリマーが、９０〜１００いずれかの重量％の式（ＩＩ）の構造単位を含有することを特徴とし、
【化３】
2019524477.tif 000003
式中、ｏおよびｐは、１を表し、前記ポリマーは、好ましくは２０，０００超の分子量Ｍｗを有するか、または
９０〜１００重量％の式（ＩＩＩ）の構造単位を含有することを特徴とし、
【化４】
2019524477.tif 000004
式中、ｑおよびｒは、それぞれ独立して、１〜２０を表し、前記ポリマーは、２０，０００超の好ましい分子量Ｍｗを有するか、または
９０〜１００重量％の式（ＩＶ）の構造単位を含有することを特徴とし、
【化５】
2019524477.tif 000005
式中、ｍは、１〜１０を表し、ｎは、２〜２０を表し、前記ｍ／ｎの関係は、３／１０〜５／１０であり、前記ポリマーは好ましくは２０，０００超の分子量Ｍｗを有する、上記態様１に記載の使用。
［４］
前記ハイドロオレフィンが、１２３３ｚｄおよび１３３６ｍｚｚの群から選択されることを特徴とする、上記態様１に記載の使用。
［５］
前記ＨＦＯが、０℃超の沸点を有する、上記態様４で定義されたハイドロフルオロオレフィンからなる群から選択されることを特徴とする、上記態様１に記載の使用。
［６］
前記ガスが、発泡体の気泡ガス（２１）であることを特徴とする、上記態様１に記載の使用。
［７］
前記気泡ガス（２１）が、１０〜１００体積％のＨＦＯおよび０〜５０体積％の（シクロ）アルカンおよび０〜５０体積％のＣＯ２を含む混合物であることを特徴とする、上記態様６に記載の使用。
［８］
前記発泡体が、ポリウレタン（ＰＵ）、ポリイソシアヌレート（ＰＩＲ）、熱可塑性ポリエステル（ＰＥＴ）、および熱可塑性ポリオレフィンの群から選択されるポリマー（２２）であることを特徴とする、上記態様６に記載の使用。
［９］
前記発泡体（ポリマー（２２）および気泡ガス（２１））が、以下の基準を満たすことを特徴とする、上記態様６に記載の使用。
−５０〜１００体積％の１２３３ｚｄおよび０〜５０体積％のシクロペンタン（Ｃｐ）を含有するＰＵ、
−５０〜１００体積％の１３３６ｍｚｚおよび０〜５０体積％のＣｐを含有するＰＵ、
−５０〜１００体積％の１２３３ｚｄおよび０〜５０体積％のＣｐを含有するＰＩＲ、
−５０〜１００体積％の１３３６ｍｚｚおよび０〜５０体積％のＣｐを含有するＰＩＲ、
−５０〜１００体積％の１２３３ｚｄおよび０〜５０体積％のＣｐを含有するＰＥＴ、
−５０〜１００体積％の１３３６ｍｚｚおよび０〜５０体積％のＣｐを含有するＰＥＴ、
−５０〜１００体積％の１２３３ｚｄおよび０〜５０体積％のＣｐを含有するＰＥ、および／または
−５０〜１００体積％の１３３６ｍｚｚおよび０〜５０体積％のＣｐを含有するＰＥ。
［１０］
前記ポリマー層が、以下の拡散係数を有することを特徴とする、上記態様１に記載の使用。
−５ｃｍ３／ｍ２×日×バールより小さなＨＦＯ、
−２０ｃｍ３／ｍ２×日×バールより小さなＯ２、
−５ｃｍ３／ｍ２×日×バールより小さなＮ２、
−０．５ｃｍ３／ｍ２×日×バールより大きなＣＯ２、および
−０．４ｇ／ｍ２×日より大きなＨ２Ｏ（ガス）。
［１１］
前記ポリマー層（１）が複合材料（１０）の一部であること、または自立型構造要素であることを特徴とする、上記態様１に記載の使用。
［１２］
前記複合材料（１０）は、以下の層状構造、熱可塑性ポリマー（３）、任意の接着促進剤（２）、上記態様１に記載のバリア材料としてのポリマー層（１）、任意の接着促進剤（２’）、任意の熱可塑性ポリマー（３’）を有することを特徴とする、上記態様１１に記載の使用。
［１３］
前記熱可塑性ポリマー（３、３’）が、高密度ＰＥ（ＨＤＰＥ）、低密度ＰＥ（ＬＤＰＥ）、直鎖状低密度ＰＥ（ＬＬＤＰＥ）からなる群から選択され、０．０１〜１ｍｍの層の厚さを有し、および／または
前記接着促進剤（２、２’）は、少なくとも１つの他の成分を有するＰＥグラフトコポリマーからなる群から選択され、０．０１〜１ｍｍの層の厚さを有することを特徴とする、上記態様１２に記載の使用。
［１４］
上記態様１に記載のポリマー層または上記態様１１に記載の複合材料の使用であって、
ラギング用、特に冷却装置用、地方および地域熱供給のための管システム用、建物冷却のための管システム用、冷却された媒体を輸送するための管システム用、産業用途における管システム用、ガス、液体、または固体の輸送のための管システム用のバリア材料として、および／または
包装用、特に医薬品、食品、および電気部品用のバリア材料として、および／または
容器およびタンク用のバリア材料としての、使用。
［１５］
プラスチック媒体管システム（ＰＭＰ）およびプラスチックジャケット管システム（ＰＪＰ）の群からの熱絶縁管システム用の上記態様１４に記載の使用。
【手続補正２】
【補正対象書類名】特許請求の範囲
【補正対象項目名】全文
【補正方法】変更
【補正の内容】
【特許請求の範囲】
【請求項１】
ガス用のバリア材料（１）としてのポリマー層の使用であって、
前記ポリマー層（１）が複合材料（１０）の一部であり、
前記ポリマー層の層の厚さが、０．０３〜０．５ｍｍの範囲であり、
前記ポリマー層のポリマーが、エチレンおよびビニルアルコールのコポリマー、またはエチレンおよび一酸化炭素のコポリマー、またはエチレンおよび一酸化炭素およびプロピレンのコポリマーを含み、
前記ガスが、式（Ｉ）の化合物を含み、０℃超の沸点を有するハイドロフルオロオレフィンの群から選択されることを特徴とし、
【化１】
2019524477.tif 000006
式中、Ｒ５およびＲ６は、互いに独立して、Ｈ、Ｆ、Ｃｌ、ＣＦ３を表す、使用。
【請求項２】
前記ポリマーが、５０〜１００重量％の式（ＩＩ）または（ＩＩＩ）または（ＩＶ）の構造単位を含有することを特徴とし、
【化２】
2019524477.tif 000007
式中、
ｍは、１〜１０を表し、
ｎは、２〜２０を表し（ｍ／ｎは、３０／１００〜５０／１００である）、
ｏは、１または２を表し、
ｐは、１または２を表し、
ｑは、１〜２０を表し、
ｒは、１〜２０を表す、請求項１に記載の使用。
【請求項３】
前記ポリマーが、９０〜１００重量％の式（ＩＩ）の構造単位を含有することを特徴とし、
【化３】
2019524477.tif 000008
式中、ｏおよびｐは、１を表し、前記ポリマーは、好ましくは２０，０００超の分子量Ｍｗを有するか、または
９０〜１００重量％の式（ＩＩＩ）の構造単位を含有することを特徴とし、
【化４】
2019524477.tif 000009
式中、ｑおよびｒは、それぞれ独立して、１〜２０を表し、前記ポリマーは、２０，０００超の好ましい分子量Ｍｗを有するか、または
９０〜１００重量％の式（ＩＶ）の構造単位を含有することを特徴とし、
【化５】
2019524477.tif 000010
式中、ｍは、１〜１０を表し、ｎは、２〜２０を表し、前記ｍ／ｎの比は、３／１０〜５／１０であり、前記ポリマーは好ましくは２０，０００超の分子量Ｍｗを有する、請求項１に記載の使用。
【請求項４】
前記ハイドロフルオロオレフィンが、１２３３ｚｄおよび１３３６ｍｚｚの群から選択されることを特徴とする、請求項１に記載の使用。
【請求項５】
前記ＨＦＯが、０℃超の沸点を有する、請求項４で定義されたハイドロフルオロオレフィンからなる群から選択されることを特徴とする、請求項１に記載の使用。
【請求項６】
前記ガスが、発泡材料の気泡ガス（２１）であることを特徴とする、請求項１に記載の使用。
【請求項７】
前記気泡ガス（２１）が、１０〜１００体積％のＨＦＯおよび０〜５０体積％の（シクロ）アルカンおよび０〜５０体積％のＣＯ２を含む混合物であることを特徴とする、請求項６に記載の使用。
【請求項８】
前記発泡材料が、ポリウレタン（ＰＵ）、ポリイソシアヌレート（ＰＩＲ）、熱可塑性ポリエステル（ＰＥＴ）、および熱可塑性ポリオレフィンの群から選択されるポリマー（２２）であることを特徴とする、請求項６に記載の使用。
【請求項９】
前記発泡材料（ポリマー（２２）および気泡ガス（２１））が、以下の基準を満たすことを特徴とする、請求項６に記載の使用。
−５０〜１００体積％の１２３３ｚｄおよび０〜５０体積％のシクロペンタン（Ｃｐ）を含有するＰＵ、
−５０〜１００体積％の１３３６ｍｚｚおよび０〜５０体積％のＣｐを含有するＰＵ、
−５０〜１００体積％の１２３３ｚｄおよび０〜５０体積％のＣｐを含有するＰＩＲ、
−５０〜１００体積％の１３３６ｍｚｚおよび０〜５０体積％のＣｐを含有するＰＩＲ、
−５０〜１００体積％の１２３３ｚｄおよび０〜５０体積％のＣｐを含有するＰＥＴ、
−５０〜１００体積％の１３３６ｍｚｚおよび０〜５０体積％のＣｐを含有するＰＥＴ、
−５０〜１００体積％の１２３３ｚｄおよび０〜５０体積％のＣｐを含有するＰＥ、および／または
−５０〜１００体積％の１３３６ｍｚｚおよび０〜５０体積％のＣｐを含有するＰＥ。
【請求項１０】
前記ポリマー層が、以下の拡散係数を有することを特徴とする、請求項１に記載の使用。
−５ｃｍ３／ｍ２×日×バールより小さなＨＦＯ、
−２０ｃｍ３／ｍ２×日×バールより小さなＯ２、
−５ｃｍ３／ｍ２×日×バールより小さなＮ２、
−０．５ｃｍ３／ｍ２×日×バールより大きなＣＯ２、および
−０．４ｇ／ｍ２×日より大きなＨ２Ｏ（ガス）。
【請求項１１】
前記複合材料（１０）は、以下の層状構造、熱可塑性ポリマー（３）、任意の接着促進剤（２）、請求項１に記載のバリア材料としてのポリマー層（１）、任意の接着促進剤（２’）、任意の熱可塑性ポリマー（３’）を有することを特徴とする、請求項１に記載の使用。
【請求項１２】
前記複合材料（１０）は、以下の層状構造：熱可塑性ポリマー（３）、任意の接着促進剤（２）、請求項１に記載のバリア材料としてのポリマー層（１）を有することを特徴とする、請求項１に記載の使用。
【請求項１３】
前記熱可塑性ポリマー（３、３’）が、高密度ＰＥ（ＨＤＰＥ）、低密度ＰＥ（ＬＤＰＥ）、直鎖状低密度ＰＥ（ＬＬＤＰＥ）からなる群から選択され、０．０１〜１ｍｍの層の厚さを有し、および／または
前記接着促進剤（２、２’）は、少なくとも１つの他の成分を有するＰＥグラフトコポリマーからなる群から選択され、０．０１〜１ｍｍの層の厚さを有することを特徴とする、請求項１２に記載の使用。
【請求項１４】
請求項１に記載のポリマー層または請求項１１に記載の複合材料の使用であって、
ラギング用、特に冷却装置用、地方および地域熱供給のための管システム用、建物冷却のための管システム用、冷却された媒体を輸送するための管システム用、産業用途における管システム用、ガス、液体、または固体の輸送のための管システム用のバリア材料として、および／または
包装用、特に医薬品、食品、および電気部品用のバリア材料として、および／または
容器およびタンク用のバリア材料としての、使用。
【請求項１５】
プラスチック媒体管システム（ＰＭＰ）およびプラスチックジャケット管システム（ＰＪＰ）の群からの熱絶縁管システム用の請求項１４に記載の使用。